(57)【要約】【課題】止水性能とともに防火性能を備えた開口部装置の止水構造を提供すること。【解決手段】建物の開口部に納められる連窓１（開口部装置）の止水構造６０であって、前記連窓１の枠体３０を前記開口部に固定するネジ部材６２を備え、ネジ部材６２の頭部に、加熱発泡性の材料を含む部材を更に備える連窓１（開口部装置）の止水構造６０。また、前記加熱発泡材は、樹脂成分が塩化ビニル樹脂からなることが好ましい。更に、ネジ部材６２は、屋内側において枠体３０を前記開口部に固定することが好ましい。【選択図】図５
2014173342.tif 000002
【特許請求の範囲】
【請求項１】
建物の開口部に納められる開口部装置の止水構造であって、
前記開口部装置の枠体を前記開口部に固定するネジ部材を備え、
前記ネジ部材の頭部に、加熱発泡性の材料を含む部材を更に備える開口部装置の止水構造。
【請求項２】
前記加熱発泡性の材料を含む部材は、樹脂成分が塩化ビニル樹脂からなる請求項１記載の開口部装置の止水構造。
【請求項３】
前記ネジ部材は、屋内側において前記枠体を前記開口部に固定する請求項１又は２記載の開口部装置の止水構造。
【発明の詳細な説明】
【技術分野】
【０００１】
本発明は、開口部装置の止水構造に関する。
【背景技術】
【０００２】
従来、開口部装置の枠体のネジ穴にネジを挿通し、締め付けることで、サッシ枠を住宅の壁の開口部に固定している。しかしながら、浴室等の湿度の高い部屋では、サッシ枠のネジ穴とネジ穴に挿通したネジとのわずかな隙間から水分が浸入し、壁の木質部や鉄骨部を腐食させるという問題があった。
【０００３】
サッシ枠のネジ穴とネジ穴に挿通したネジとの隙間からの水分の浸入を防ぐための技術としては、サッシ枠のネジ穴に、ゴム等の弾性変形可能な樹脂からなる有底円筒状のキャップを嵌めておき、このキャップの底部にネジを貫通させてサッシ枠を躯体に取り付ける止水構造が知られている（例えば、特許文献１参照）。この止水構造では、有底円筒状のキャップが、サッシ枠の躯体への取り付け時にはネジ頭によってサッシに押し付けられ、防水ワッシャとしての機能を発揮する。
【０００４】
また、サッシ枠のネジ穴とネジ穴に挿通したネジとの隙間からの水分の浸入を防ぐための他の技術としては、ネジ取り付け後にネジ頭とその周辺に、例えばシリコン製のシール材を塗布する方法が知られている。
【０００５】
ところで、開口部装置においては、高い防火性能も求められている。
【先行技術文献】
【特許文献】
【０００６】
【特許文献１】実公平１−２０４６０号公報
【発明の概要】
【発明が解決しようとする課題】
【０００７】
しかしながら、特許文献１で開示されているようなゴム製のワッシャは、有機物であるので、防火性能上は用いないことが好ましい。また、シリコン製のシール材をネジの施工後に塗布する方法では、防火性能については問題ないが、施工の際の工程が増えてしまい煩雑である。
【０００８】
本発明は上記に鑑みてなされたものであり、その目的は、止水性能とともに防火性能を備え、更に煩雑な施工工程を要さない開口部装置の止水構造を提供することにある。
【課題を解決するための手段】
【０００９】
上記目的を達成するため本発明は、建物の開口部に納められる開口部装置（例えば後述の連窓１）の止水構造（例えば後述の止水構造６０）であって、前記開口部装置の枠体（例えば後述の枠体３０）を前記開口部に固定するネジ部材（例えば後述のネジ部材６２）を備え、前記ネジ部材の頭部に、加熱発泡性の材料を含む部材（例えば後述のワッシャ６５）を更に備える開口部装置の止水構造を提供する。
【００１０】
本発明の開口部装置の止水構造は、ネジ部材の頭部に加熱発泡性の材料を含む部材を備える。
これにより、ネジ頭とその周辺からの水分の浸入を防止できるので、本発明の開口部装置の止水構造は、高い止水性能を発揮する。特に、ネジ部材のネジ頭部と枠体との間に加熱発泡性の材料を含む部材を配置すれば、加熱発泡性の材料を含む部材が、ネジ頭部と枠体に密着することから、本発明の開口部装置の止水構造は、より高い止水性能を発揮する。更には、加熱発泡性の材料は黒鉛等を含有し、従来ワッシャに用いられてきたゴム等の樹脂に比べて有機物が少ないことから、本発明の開口部装置の止水構造は、良好な防火性能も発揮する。また、本発明の開口部装置の止水構造では、ネジの施工後のシール打ちのような煩雑な工程を要さない。
【００１１】
前記加熱発泡性の材料を含む部材は、樹脂成分が塩化ビニル樹脂からなることが好ましい。
【００１２】
この発明では、加熱発泡性の材料を含む部材の樹脂成分を塩化ビニル樹脂とする。
これにより、加熱発泡性の材料を含む部材が柔軟性を有し、開口部装置の止水構造がより高い止水性能を発揮する。
【００１３】
前記ネジ部材は、屋内側において前記枠体を前記開口部に固定することが好ましい。
【００１４】
この発明では、屋内側において、ネジ部材により枠体を開口部に固定する。
これにより、湿度の高く、より高い止水性能の求められる浴室等において本発明の効果を発揮することができる。
【発明の効果】
【００１５】
本発明によれば、止水性能とともに防火性能を備えた開口部装置の止水構造を提供することができる。
【図面の簡単な説明】
【００１６】
【図１】本発明の一実施形態に係る連窓を屋内側から見たときの正面図である。
【図２】上記実施形態に係る連窓の嵌め殺し窓側の縦断面図である。
【図３】上記実施形態に係る連窓の縦辷り出し窓側の縦断面図である。
【図４】上記実施形態に係る連窓の横断面図である。
【図５】上記実施形態に係る開口部装置の止水構造を示す図である。
【発明を実施するための形態】
【００１７】
以下、本発明の一実施形態について、図面を参照しながら詳しく説明する。なお、本明細書において、「見付方向」とは、建物の壁に形成された開口部に納められた連窓におけるガラスの面方向（即ち、左右方向）を意味し、「見込方向」とは、上記ガラスの厚さ方向（即ち、奥行き方向）を意味する。
【００１８】
図１は、本実施形態に係る開口部装置としての連窓１を屋内側から見たときの正面図である。連窓１は、躯体としての建物の壁に形成され且つ開口縁に額縁が取り付けられた開口部に納められる。図１に示すように、連窓１は、見付方向に２つの窓が連設された連窓であり、枠体３０と、方立４０と、第１開口部装置１０と、第２開口部装置２０と、を備える。
【００１９】
枠体３０は、上枠３１０と、下枠３２０と、左右の縦枠３３０，３４０により矩形に枠組みされた枠体である。後述するように、枠体３０は、金属枠３１と、該金属枠３１の屋内側に連結された樹脂枠３２と、を含んで構成される。即ち、本実施形態に係る連窓１は、屋外側が金属で構成され、屋内側が樹脂で構成された複合型の連窓である。金属枠３１の屋内側が樹脂枠３２で覆われるため、連窓１は、優れた断熱性を有し、結露が抑制される。
【００２０】
金属枠３１は、例えばアルミで構成される。より具体的には、金属枠３１は、アルミを押出し成形することで得られる。
金属枠３１は、後述するように、金属上枠と、金属下枠と、左右の金属縦枠で構成され、連結される枠同士はねじ止めされる。
【００２１】
樹脂枠３２は、例えば塩化ビニル樹脂等の合成樹脂で構成される。より具体的には、樹脂枠３２は、例えば塩化ビニル樹脂等の合成樹脂を押出し成形することで得られる。
樹脂枠３２は、後述するように、樹脂上枠と、樹脂下枠と、左右の樹脂縦枠で構成され、連結される枠同士はねじ止めされる。樹脂上枠は金属上枠に取り付けられ、樹脂下枠は金属下枠に取り付けられ、左右の樹脂縦枠はそれぞれ左右の金属縦枠に取り付けられる。
即ち、上枠３１０は金属上枠と樹脂上枠で構成され、下枠３２０は金属下枠と樹脂下枠で構成され、左右の縦枠３３０，３４０はそれぞれ、金属縦枠と樹脂縦枠で構成される。
【００２２】
樹脂枠３２は、後述するネジ穴６１を有する。ネジ穴６１にネジ部材６２が挿入されることで樹脂枠３２は建物の開口部に固定され、止水構造６０が形成される。止水構造６０は、樹脂枠３２を構成する樹脂上枠と、樹脂下枠と、左右の樹脂縦枠のそれぞれにおいて４箇所に形成される。
止水構造６０については後段で更に詳述する。
【００２３】
方立４０は、上枠３１０と下枠３２０との間に延設された中空の方立である。後述するように、方立４０は、金属方立と、該金属方立の屋内側に連結された樹脂方立と、を含んで構成される。第１開口部装置１０および第２開口部装置２０は、互いに縦枠を有しておらず、縦枠を介さずに方立４０により連結される。なお、本明細書における縦枠には、縦框は含まれない。
方立４０は、上枠３１０および下枠３２０の見付方向中央よりも右寄りに設けられる。即ち、本実施形態では、第１開口部装置１０の開口部の方が、第２開口部装置２０の開口部よりも大きい。
【００２４】
第１開口部装置１０は、屋内側から見て、枠体３０内の方立４０の左側に納められる。第１開口部装置１０は、嵌め殺し窓であり、枠体３０内の方立４０の左側に嵌め込まれて固定された矩形のガラス５１を備える。以下、第１開口部装置１０を、嵌め殺し窓１０ともいう。
【００２５】
第２開口部装置２０は、屋内側から見て、枠体３０内の方立４０の右側に納められる。第２開口部装置２０は、縦辷り出し窓であり、枠体３０内の方立４０の右側に納められた矩形の障子２００を備える。障子２００は、後述するように、戸先側を屋外側に押出し、吊元側に設けられた図示しない回動軸を中心として回動させることで、開放可能となっている。以下、第２開口部装置２０を、縦辷り出し窓２０ともいう。
【００２６】
障子２００は、上框２１と、下框２２と、左右の縦框２３，２４と、により矩形に框組みされた框体２５と、框体２５内に嵌め込まれて固定されたガラス５２と、を含んで構成される。後述するように、框体２５は、金属框体２６と、該金属框体２６の屋内側に連結された樹脂框体２７と、を含んで構成される。
【００２７】
金属框体２６は、例えばアルミで構成される。より具体的には、金属框体２６は、アルミを押出し成形することで得られる。
金属框体２６は、後述するように、金属上框と、金属下框と、左右の金属縦框で構成され、連結される框同士はねじ止めされる。
【００２８】
樹脂框体２７は、例えば塩化ビニル樹脂等の合成樹脂で構成される。より具体的には、樹脂框体２７は、例えば塩化ビニル樹脂等の合成樹脂を押出し成形することで得られる。
樹脂框体２７は、後述するように、樹脂上框と、樹脂下框と、左右の樹脂縦框で構成される。樹脂上框は金属上框に取り付けられ、樹脂下框は金属下框に取り付けられ、左右の樹脂縦框はそれぞれ左右の金属縦框に取り付けられる。
即ち、上框２１は金属上框と樹脂上框で構成され、下框２２は金属下框と樹脂下框で構成され、左右の縦框２３，２４はそれぞれ、金属縦框と樹脂縦框で構成される。
【００２９】
戸先側の左縦框２３には、ハンドル２８と、グレモン機構２９が設けられる。ハンドル２８は、左縦框２３の屋内側の上下方向略中央に設けられる。障子２００が閉鎖された状態でハンドル２８を回動すると、グレモン機構２９のロックが解除され、この状態で、障子２００の戸先側を屋外側に押し出すことで、障子２００が吊元側の回動軸を中心として回動して開放される。また、障子２００の戸先側を屋内側に引き戻してハンドル２８を回動すると、グレモン機構２９が作動して障子２００が閉鎖状態でロックされる。具体的には、ハンドル２８を回動すると、グレモン機構２９が備える後述のロッドが上下動し、方立４０の左縦框２３側の見込面に形成された係止孔にロッドが係止することで、障子２００が閉鎖状態でロックされる。
【００３０】
図２は、本実施形態に係る連窓１の嵌め殺し窓１０側の縦断面図である。図２に示すように、ガラス５１は、屋内側の板ガラス５１１と、屋外側の板ガラス５１２と、これら２枚の板ガラスで挟持されたスペーサ５１ａと、を備える複層ガラスであり、優れた断熱性を有する。
【００３１】
図２に示すように、下枠３２０は、金属下枠３２１と、樹脂下枠３２２と、を含んで構成される。
金属下枠３２１は、下枠中空部３２１ａを有するホロー構造である。金属下枠３２１の屋内側の見付面の下方には、屋内側に略水平に延出し且つ先端が上方に屈曲した下枠第１水平部３２１ｂが形成される。この下枠第１水平部３２１ｂには、樹脂下枠３２２の樹脂下枠本体部３２２ａの底部が嵌合する。
なお、樹脂下枠３２２の樹脂下枠本体部３２２ａには、止水構造６０が形成される。連窓１（開口部装置）の止水構造６０については、後段で詳述する。
【００３２】
金属下枠３２１の屋内側の見付面の上方には、該見付面の上端から立設し、その先端が屋外側に屈曲した下枠立設部３２１ｃが形成される。この下枠立設部３２１ｃには、樹脂下枠３２２を構成し且つ樹脂下枠本体部３２２ａから立設する下枠ガラス支持部３２２ｂが係止する。下枠ガラス支持部３２２ｂは、屋外側に緩衝部材３２２ｃが取り付けられ、この緩衝部材３２２ｃを介してガラス５１の周縁部を支持する。
【００３３】
金属下枠３２１の上面部３２１ｅは略水平であり、上面部３２１ｅには、金属下枠３２１の延設方向に延び、例えばアルミより融点が高いＳＵＳやスチール等からなる第１ずり下がり防止材３２４が配設される。ガラス５１は、この第１ずり下がり防止材３２４上に加熱発泡材５０１を介して支持される。第１ずり下がり防止材３２４は、断面視略Ｌ字状の２つの板状の長尺部材を略直方体状に連結することで形成される。また、上面部３２１ｅ上の隙間には、加熱発泡材５０２が取り付けられる。
なお、加熱発泡材５０１，５０２は、火災時に発生する熱で発泡して膨張し、周辺の隙間を埋めることで、熱風や煙の侵入を抑制する。以下で説明する加熱発泡材は、いずれも同様の効果を有する。
【００３４】
金属下枠３２１の上面部３２１ｅの屋外側端部には、屋外側に略水平に延出する下枠第２水平部３２１ｆが形成される。下枠第２水平部３２１ｆ上には、金属下枠３２１の延設方向に延びる断面視略コ字状の下枠押縁アタッチメント３２５が、その開放面を上方に向けて取り付けられる。
下枠押縁アタッチメント３２５の係止部には、金属下枠３２１の延設方向に延びる下枠外押縁３２６が係止する。下枠外押縁３２６の屋内側には緩衝部材３２６ａが取り付けられており、下枠外押縁３２６は、緩衝部材３２６ａを介してガラス５１の周縁部を押圧する。これにより、上述の下枠ガラス支持部３２２ｂと下枠外押縁３２６との間で、ガラス５１の周縁部が挟持される。以下で説明する押縁は、いずれも同様の作用効果を有する。
【００３５】
上枠３１０は、金属上枠３１１と、樹脂上枠３１２と、を含んで構成される。
金属上枠３１１は、上枠中空部３１１ａを有するホロー構造である。図２に示すように、金属上枠３１１は屋外側に大きく突出して形成されている。
【００３６】
上枠中空部３１１ａ内には、上方側が開放された断面視略コ字状の開断面構造を有する。
金属上枠３１１の屋内側に設けられる樹脂上枠３１２は、上述した樹脂下枠３２２と上下対称で同一の構成である。同様に、金属上枠３１１の屋外側に取り付けられる上枠外押縁３１６は、上述した下枠外押縁３２６と上下対称で同一の構成である。
なお、樹脂上枠３１２の樹脂上枠本体部３１２ａには、止水構造６０が形成される。連窓１（開口部装置）の止水構造６０については、後段で詳述する。
【００３７】
金属上枠３１１の下面部３１１ｅとガラス５１の上端部との間には、所定の隙間が設けられる。また、下面部３１１ｅには、ガラス５１の上端と対向する位置に、金属上枠３１１の延設方向に延びる断面視略Ｌ字状の上枠ガラス保持部材３１４がガラス５１の周縁部を覆うように設けられる。上枠ガラス保持部材３１４は、例えばアルミよりも融点が高いＳＵＳやスチール等で構成され、その下面側には加熱発泡材５０４が取り付けられる。
【００３８】
図３は、本実施形態に係る連窓１の縦辷り出し窓２０側の縦断面図である。より具体的には、図３は、縦辷り出し窓２０を閉鎖している状態で、戸先側から見たときの縦断面図である。ここで、上枠３１０を構成する金属上枠３１１および樹脂上枠３１２と、下枠３２０を構成する金属下枠３２１および樹脂下枠３２２の構成は、上述した通りである。
【００３９】
図３に示すように、障子２００の框体２５に嵌め込まれたガラス５２は、屋内側の板ガラス５２１と、屋外側の板ガラス５２２と、これら２枚の板ガラスで挟持されたスペーサ５２ａと、を備える複層ガラスであり、優れた断熱性を有する。
【００４０】
下框２２は、金属下框２２１と、樹脂下框２２２と、を含んで構成される。
金属下框２２１は、断面視略正方形の下框中空部２２１ａを有するホロー構造である。
金属下框２２１の下部には、金属下枠３２１上に設けられた下框アーム部材２２４が連結される。この下框アーム部材２２４は、障子２００の開放時および閉鎖時において、障子２００を支持する。なお、金属下枠３２１上には、加熱発泡材５０６が取り付けられる。
【００４１】
金属下框２２１の屋内側に形成された係止部には、樹脂下框２２２を構成する樹脂下框本体部２２２ａが係止する。樹脂下框本体部２２２ａの上部には、樹脂下框２２２を構成する下框ガラス支持部２２２ｂが形成される。下框ガラス支持部２２２ｂの屋外側には緩衝部材２２２ｃが取り付けられる。下框ガラス支持部２２２ｂは、緩衝部材２２２ｃを介してガラス５２の周縁部を支持する。
【００４２】
金属下框２２１の上面部２２１ｄには、金属下框２２１の延設方向に延びる第２ずり下がり防止材２２５が配設される。ガラス５２は、この第２ずり下がり防止材２２５上に加熱発泡材５０７を介して支持される。第２ずり下がり防止材２２５の構成は、上述の第１ずり下がり防止材３２４と同一である。金属下框２２１の上面の上面部２２１ｄ上の隙間には、加熱発泡材５０８が取り付けられる。
【００４３】
金属下框２２１の上面部２２１ｄの屋外側端部に形成された係止部には、金属下框２２１の延設方向に延びる下框外押縁２２６が係止する。下框外押縁２２６の屋内側には緩衝部材２２６ａが取り付けられる。
【００４４】
上框２１は、金属上框２１１と、樹脂上框２１２と、を含んで構成される。
金属上框２１１は、上述した金属下框２２１と上下対称で同一の構成である。また、樹脂上框２１２は、上述した樹脂下框２２２と上下対称で同一の構成である。
ただし、金属上框２１１の下面部２１１ａとガラス５２の上端との間には、所定の隙間が設けられる。
【００４５】
図４は、本実施形態に係る連窓１の横断面図である。先ず、嵌め殺し窓１０側の構成について説明する。
縦枠３３０は、金属左縦枠３３１と、樹脂左縦枠３３２と、を含んで構成される。
金属左縦枠３３１は、仕切り壁３３１ｃで仕切られ、屋外側に配置された左縦枠第１中空部３３１ａと、屋内側に配置された左縦枠第２中空部３３１ｂと、を有するホロー構造である。
【００４６】
金属左縦枠３３１の屋内側の係止部には、樹脂左縦枠３３２を構成する左縦枠本体部３３２ａが係止する。
樹脂左縦枠３３２の左縦枠本体部３３２ａには、連窓１（開口部装置）の止水構造６０が形成される。止水構造６０については、後段で詳述する。
左縦枠本体部３３２ａのガラス５１側には、樹脂左縦枠３３２を構成する左縦枠ガラス支持部３３２ｂが形成される。左縦枠ガラス支持部３３２ｂの屋外側には緩衝部材３３２ｃが取り付けられる。左縦枠ガラス支持部３３２ｂは、緩衝部材３３２ｃを介してガラス５１の周縁部を支持する。
【００４７】
金属左縦枠３３１とガラス５１の左側端部との間には、上下方向に延びる第１ガラス外れ止め金具３３５が設けられる。第１ガラス外れ止め金具３３５は、例えばアルミよりも融点が高いＳＵＳやスチール等の長尺部材で構成され、ガラス５１の周縁部を隙間を設けて覆うように配置される。これによりガラス５１の脱落が抑制される。
【００４８】
金属左縦枠３３１の屋外側では、ガラス５１側の見込面に形成された係止部に、左縦枠外押縁３３６が係止する。左縦枠外押縁３３６の屋内側には、緩衝部材３３６ａが取り付けられる。
【００４９】
方立部４００は、方立４０のみで構成される。即ち、嵌め殺し窓１０の納められる開口部と縦辷り出し窓２０の納められる開口部は、互いに方立４０側に縦框を有しておらず、方立４０により連結される。
方立４０は、屋外側に配置された金属方立４１と、金属方立４１の屋内側に連結された樹脂方立４２と、を含んで構成される。
【００５０】
金属方立４１は、断面視略矩形で、方立中空部４１ａを有するホロー構造である。
樹脂方立４２の見付方向の両端には、上述した方立ガラス支持部４２ａおよび樹脂方立延出部４２ｂが形成される。方立ガラス支持部４２ａによって、緩衝部材４２ｃを介してガラス５１の周縁部が支持される。
また、ガラス５１の右側縁部の屋外側には、後述する金属方立４１の見込面に形成された係止部に、方立外押縁４５が係止する。方立外押縁４５の構成は、左縦枠外押縁３３６と同一である。
【００５１】
次に、縦辷り出し窓２０側の構成について説明する。
左縦框２３は、金属左縦框２３１と、樹脂左縦框２３２とを含んで構成される。
金属左縦框２３１は、左縦框中空部２３１ａを有するホロー構造である。
【００５２】
金属左縦框２３１の屋外側では、上下方向に通しで設けられ方立４０側に延出する左縦框延出部２３４が形成される。左縦框延出部２３４の先端には、上下方向に通しで設けられえた緩衝部材２３４ａが取り付けられる。障子２００が閉鎖されると、左縦框延出部２３４の先端は、緩衝部材２３４ａを介して金属方立４１に当接し、障子２００が開放されると、左縦框延出部２３４の先端は、金属方立４１から離間する。
【００５３】
金属左縦框２３１の屋内側の見付面に形成された係止部には、樹脂左縦框２３２が係止する。樹脂左縦框２３２のガラス５２側の屋外側には緩衝部材２３２ａが取り付けられ、樹脂左縦框２３２は緩衝部材２３２ａを介してガラス５２の周縁部を支持する。
樹脂左縦框２３２には、上述のハンドル２８とグレモン機構２９が設けられる。障子２００が閉鎖されると、樹脂左縦框２３２の見付面の方立４０側の端部は、樹脂方立４２を構成し且つ左縦框２３側に延出する樹脂方立延出部４２ｂに、緩衝部材４２ｄを介して当接し、障子２００が開放されると、樹脂方立延出部４２ｂから離間する。
【００５４】
金属左縦框２３１の方立４０側の見込面には、グレモン機構２９を構成するロッド部２９１が設けられる。ロッド部２９１は、ハンドル２８の回動に応じて上下動し、方立４０の左縦框２３側の見込面に形成された図示しない係止孔に係止する。
障子２００が閉鎖されると、方立４０と金属左縦框２３１の間には密閉空間が形成される。
【００５５】
金属左縦框２３１の屋外側では、ガラス５２側の見込面に形成された係止部に、左縦框外押縁２３６が係止する。左縦框外押縁２３６の屋内側には緩衝部材２３６ａが取り付けられる。
【００５６】
金属右縦框２４１は、上述した金属左縦框２３１と左右対称で同一の構成である。樹脂右縦框２４２は、上述した樹脂左縦框２３２と左右対称で同一の構成である。
また、金属右縦枠３４１は、上述した金属左縦枠３３１と左右対称で同一の構成である。樹脂右縦枠３４２は、上述した樹脂左縦枠３３２と左右対称で同一の構成である。
【００５７】
続いて、図５により、本実施形態に係る連窓１（開口部装置）の止水構造６０について説明する。図５は、本実施形態に係る連窓１の樹脂右縦枠本体部３４２ａの拡大横断面図である。
上述のように、本実施形態において、止水構造６０は、樹脂枠３２（枠体３０）の、樹脂上枠３１２と、樹脂下枠３２２と、樹脂左縦枠３３２と、樹脂右縦枠３４２の各４箇所に設けられる。樹脂上枠３１２と、樹脂下枠３２２と、樹脂左縦枠３３２と、樹脂右縦枠３４２における止水構造６０の構成は同一であるので、ここでは、樹脂右縦枠３４２の樹脂上枠本体部３１２ａに形成される止水構造６０について説明する。
【００５８】
止水構造６０は、樹脂枠３２（枠体３０）を建物の開口部に固定するネジ部材６２を備える。
即ち、樹脂右縦枠３４２の樹脂右縦枠本体部３４２ａは、ネジ穴６１を有し、ネジ部材６２は、ネジ穴６１に挿入され、樹脂右縦枠３４２（樹脂枠３２，枠体３０）を建物の開口部に固定する。
【００５９】
ネジ部材６２は、ネジ頭部６３と、ネジ頭部６３に接続し、外周面に螺旋状の溝の形成された棒状のネジ軸部６４と、を備える。
また、止水構造６０は、ネジ部材６２の頭部に加熱発泡性の材料を含む部材としてのワッシャ６５を更に備える。ワッシャ６５は、ネジ軸部６４に挿入され、ネジ頭部６３と当接する環状の部材であるワッシャ６５と、を備える。
上述のように、ワッシャ６５は、加熱発泡性の材料を含む部材である。加熱発泡性の材料は、火災時に発生する熱で発泡して膨張する。加熱発泡材としては、樹脂に、熱で膨張する耐火性の黒鉛を混合させたものが挙げられる。本実施形態においては、樹脂成分が塩化ビニル樹脂からなる加熱発泡性の材料を含む部材が用いられる。塩化ビニル樹脂は適度な柔軟性を持つことから、ネジ部材６２のワッシャ６５の加熱発泡材に含有させた場合、止水構造６０が高い止水性を発揮することから好ましい。また、加熱発泡性の材料を含む部材における加熱発泡性の材料の含有量は特に限定されないが、加熱発泡性の材料を含む部材は、全て加熱発泡性の材料によって構成されることが好ましい。
【００６０】
本実施形態によれば、以下の効果が奏される。
本実施形態では、止水構造６０は加熱発泡性の材料を含む部材であるワッシャ６５を備えた。
これにより、ネジ頭部６３とその周辺からの水分の浸入を防止できるので、連窓１（開口部装置）の止水構造６０は、高い止水性能を発揮する。特に、本実施形態では、ネジ部材６２のネジ頭部６３と樹脂枠３２との間に加熱発泡性の材料を含む部材（ワッシャ６５）を配置しているので、加熱発泡性の材料を含む部材（ワッシャ６５）が、ネジ頭部６３と樹脂枠３２（枠体３０）に密着することから、連窓１（開口部装置）の止水構造６０は、より高い止水性能を発揮できる。更には、加熱発泡性の材料は黒鉛等を含有し、従来ワッシャに用いられてきたゴム等の樹脂に比べて有機物が少ないことから、本実施形態の連窓１（開口部装置）の止水構造６０は、良好な防火性能も発揮する。また、本実施形態の連窓１（開口部装置）の止水構造６０では、ネジの施工後のシール打ちのような煩雑な工程を要さない。
【００６１】
本実施形態では、加熱発泡性の材料を含む部材（ワッシャ６５）の樹脂成分を塩化ビニル樹脂とした。
これにより、加熱発泡性の材料を含む部材（ワッシャ６５）が柔軟性を有し、連窓１（開口部装置）の止水構造６０がより高い止水性能を発揮する。
【００６２】
本実施形態では、屋内側において、ネジ部材６２により樹脂枠３２を開口部に固定した。
これにより、湿度の高く、より高い止水性の求められる浴室等において発明の効果を発揮することができる。
【００６３】
なお、本発明は上記実施形態に限定されるものではなく、本発明の目的を達成できる範囲での変形、改良等は本発明に含まれる。
上記実施形態では、止水構造６０がワッシャ６５を備えるが、本発明の加熱発泡性の材料を含む部材は、ワッシャに限定されない。本発明の加熱発泡性の材料を含む部材は、ネジ部材の頭部に配置されるものであり、例えば、ネジ部材の頭部の裏側（ネジ軸部側）に、接着剤等の接着部材によって貼り付けられていてもよい。
また、上記実施形態では、樹脂枠３２に止水構造６０を適用したが、金属枠に本発明の止水構造を適用してもよい。
また、上記実施形態では、連窓１に止水構造６０を適用したが、本発明を適用する開口部装置の種類は連窓に限定されない。
また、上記実施形態では、開口部装置の屋内側において樹脂枠３２（枠体３０）を開口部に固定したが、屋外側で枠体を固定する構成としてもよい。
【符号の説明】
【００６４】
１…連窓（開口部装置）
３０…枠体
６０…止水構造
６１…ネジ穴
６２…ネジ部材
６３…ネジ頭部
６４…ネジ軸部
６５…ワッシャ（加熱発泡性の材料を含む部材）
【図１】
2014173342.tif 000003
【図２】
2014173342.tif 000004
【図３】
2014173342.tif 000005
【図４】
2014173342.tif 000006
【図５】
2014173342.tif 000007